【事件の表示】
　平成　８年特許願第　３６３７３号「タブレット用オーバーレイシート」拒絶査定不服審判事件〔平成　９年　９月　５日出願公開、特開平　９−２３０９８５〕について、次のとおり審決する。
【結　論】
　本件審判の請求は、成り立たない。
【理　由】
【１】本願発明
　本願は、平成８年２月２３日の出願であって、その請求項１〜３に係る発明は、平成１７年２月２１日付け手続補正書によって補正された明細書の特許請求の範囲に記載された以下のとおりのものである。
「１．基体と、前記基体の少なくとも一方の面上に設けられたマット層とを有し、
　前記基体の前記マット層が配置されている面は、所定の表面粗さを有するマット化された面であり、
　前記マット層は、マット化剤粒子を含有していることを特徴とするタブレット用オーバーレイシート。
　２．請求項１に記載のタブレット用オーバーレイシートにおいて、前記基体の前記表面粗さは、０．２μｍ〜１．２μｍであり、前記マット層の表面粗さは、０．３μｍ〜１．５μｍであることを特徴とするタブレット用オーバーレイシート。
 ３．請求項１または２に記載のタブレット用オーバーレイシートにおいて、前記マット層は、前記基体の両面に設けられていることを特徴とするタブレット用オーバーレイシート。」
　
【２】引用例
　原査定の拒絶の理由に引用された特開平８−３６４４８号公報（以下、「引用例１」という。）には、図面とともに以下の記載がある。
（１）「本発明は、ペン入力装置の入力プレートにおいて優れた筆記感を与える表面材に関する。
　電子機器、特に電子手帳などの小型電子機器は、最近、ペン（書込み式）入力機構を備えたものが普及しており、この入力方式は入力用キーボードからの煩雑な入力に代えて、表示装置に直接文字や図形を書込むことによって入力できる利点を有している。ペン入力装置は書込み用のペンとペンの動きを検知する入力プレートから構成され、入力プレートはペンの位置を検出する座標検出機構と、検出した座標位置に応じて入力文字を表示する機構とが一体化して形成されている。具体的には、入力プレート表面は書込み文字等を表示する液晶面に、入力ペンの位置を検出する座標検出用シートが積層して形成され、さらに、ペンなどによる傷付きを防止するための透明保護層が設けられている。」（第２頁第１欄第２５行〜４０行）
　
（２）「本発明に係る入力プレート用表面材の概略断面図を図１および図２に示す。図示するように、本発明に係る入力プレート用表面材は２０は、入力プレート１０の表面に設けられ、該表面材２０の下側には、入力ペンの移動位置を検出する座標検出部材や検出位置に応じて文字等を表示する表示部材などの機能部材３０が配設されている。図２は該表面材の凹凸面にさらに透明ハードコート層５０を設けたものである。表面材２０は表面に凹凸を有する透明基材によって形成されている。好適な透明基材としては透明な熱可塑性樹脂材、例えば、ポリメチルメタクリレートなどのアクリル樹脂、ポリエチレンテレフタレート（ＰＥＴ）などのポリエステルの他、ポリカーボネート、ポリイミド、ポリサルフォン、ポリ塩化ビニル、ポリオレフィン、ポリアミドなどを用いることができる。」（第３頁第３欄第８〜２２行）
　
（３）「上記表面材２０の表面には筆記感を向上させるための凸部２１ないし凹部２２が形成されている。表面の凹凸は、図３および図４に示すように、基材表面に任意の形状の凸部２１または凹部２２の何れかを形成すればよい。凸部２１ないし凹部２２の段差は０．５〜５０μｍが適当であり、１〜２０μｍが好ましい。また該凹凸の間隔（ピッチ）、すなわち互いに隣接する凸部２１ないし凹部２２の中心間距離ａ、あるいは凸部２１ないし凹部２２の一方の側端から他方の側端までの距離ａは１００〜１０００μｍが適当であり、１５０〜５００μｍが好ましい。さらに凹部または凸部の面積は単位面積あたり１０〜６０％が適当である。なお、図示しないが、凹部と凸部を組合わせて形成しても良い。これら凹凸の段差、間隔および面積比は、入力ペンのペン先部の形状に関係している。現在、入力ペンとしては使い易さの点で、ペン先部の形状がＲ０．５ｍｍ程度の球状であるペンが主に使用されており、このような入力ペンを用いた場合、表面材の凹凸面をペン先が摺動する際に、該凹凸によってペンに適度な抵抗と振動が与えられ、この抵抗と振動が繊維質である紙の表面に鉛筆で筆記する場合と同様な感触を生じ、筆記感を向上させる。
　凸部あるいは凹部の形状は特に限定されず、任意の形状で良い。また平面の配列パターンも限定されない。円形、多角形またはそれに類する形状の凹部または凸部を一定間隔ごとに繰り返し設けても良く、無規則に配設しても良い、また格子形あるいは波形の凹凸を形成しても良い。
　本発明の表面材の厚さは樹脂の透明性および加工性などにより適宜定められ、上記樹脂製のシートまたは板材の状態で使用することができる。さらに本発明の表面材は入力プレートの表面を保護する保護層を兼用するため、これと一体に形成したものでも良い。
　上記表面形状を有する表面材は、上記樹脂をシート状に形成した後、ホットプレスなどにより基材表面に所定の凹凸を形成することにより製造することができる。具体的には、一例として、上記段差およびピッチの凹凸を設けた金型ないし精密ホットプレス装置を用い、加熱下で加圧ロールの間に樹脂シートを通過させるなどの方法によって上記凹凸を形成することができる。」（第３頁第３欄第３１行〜第４欄第１９行）
　
（４）「本発明においては図２のように上記表面材の凹凸面にさらに透明なハードコート層５０を設けることにより筆記感をより向上させることができる。またハードコート層５０によって表面の傷付きも防止される。ハードコート層５０の材質としては、透明な金属酸化物の薄膜や合成樹脂膜を用いることができる。金属酸化物の例としてはＡｌ２Ｏ３、ＳｉＯ２、ＴｉＯ２、ＺｒＯ２、ＺｎＯ、ＭｇＯ、ＩＴＯ（Ｉｎ２Ｏ３（ＳｎＯ２））またはこれら２種以上の混合物が例示でき、合成樹脂系としては熱硬化型であるオルガノアルコキシシランなどのシリコーン系樹脂、紫外線硬化型であるウレタン変性アクリレートなどのハードコート材を用いることができる。ハードコートの厚さは基材の透明性および上記凹凸を損なわない範囲であれば良い。具体的には、ハードコートの材質および凹凸の段差などによって適宜定められる。
　ハードコートの形成方法としては、金属酸化物薄膜をコートする場合には真空蒸着、スパッタリングまたはイオンプレーティングなどの物理蒸着法（ＰＶＤ）により行なうことができ、合成樹脂膜をコートする場合には合成樹脂を必要に応じて溶媒に溶して透明基材表面に塗布し、熱や紫外線により硬化させることによって形成することができる。真空蒸着、スパッタリングまたはイオンプレーティングなどの物理蒸着法は通常の方法によって行えば良い。
　表面材の上記凹凸面にハードコート層を設けることにより、上記凹凸による筆記感の向上と共にハードコート層によって摩擦係数が大きくなるので、筆記感が一層改善される。さらにハードコート層が保護膜を兼ねるので表面の傷付きも防止できる効果を有する。本発明の入力プレート用表面材は、以上のように、透明基材の表面に凹凸面を形成し、また凹凸面と共にハードコート層を設けたものであるので、表面材の下側に配設されるペン位置検出手段や液晶などの表面手段は通常と同様に設ければよく、特に変更する必要はない。従って、従来の表面材に代えて容易に用いることができる。」（第３頁第４欄第２０行〜第４頁第５欄第６行）
　
　これらの記載によれば引用例１には以下の発明（以下、「引用例１発明」という。）が開示されている。
「表面材２０と、前記表面材２０の少なくとも一方の面上に設けられたハードコート層５０とを有し、前記表面材２０の前記ハードコート層５０が配置されている面は、所定の凸部２１、凹部２２が形成されて粗面化された面であるペン入力装置の入力プレート用表面材。」
　
　原査定において周知例として引用された特開平７−２４４５５２号公報（以下、「引用例２」という。）には、
　通常のペンで紙表面を筆記するときのような適度の抵抗感のある筆記特性が得られるペン入力コンピュータ用タブレットの表面材であって、基体（基材１）と、前記基体の少なくとも一方の面上に設けられたコーティング層とを有するタブレット用オーバーレイシート（ペン入力コンピュータ用タブレットの表面材）において、前記コーティング層を、マット化剤粒子（粗面化用のシリカビーズ等の無機ビーズ）を含有するマット層（粗面化された表面を有する表面層）とすることが記載されている。
　
【３】対比・判断
（対比）　
　本願の請求項１に係る発明（以下、「本願発明」という。）と引用例１発明とを比較すると、引用例１発明の「表面材２０」、「所定の凸部２１、凹部２２が形成されて粗面化された面」、「入力プレート用表面材」のそれぞれは、本願発明の「基体」、「所定の表面粗さを有するマット化された面」、「タブレット用オーバーレイシート」のそれぞれに相当する。
　また、引用例１発明の「ハードコート層５０」は、基体（表面材）上に設けられている層であって、本願発明のマット層と、基体上に設けられている「層」である点で一致している。
　
　したがって、両者は、
「基体と、前記基体の少なくとも一方の面上に設けられた層とを有し、
　前記基体の前記層が配置されている面は、所定の表面粗さを有するマット化された面である
　タブレット用オーバーレイシート」である点で一致し、以下の点で相違している。
　
［相違点］
　本願発明においては、基体面上に設けられた層を、マット化剤粒子を含有しているマット層としているのに対して、引用例１発明の層はマット化剤粒子を含有しているマット層ではない点。
　
（判断）
　引用例１発明はマット化（凹凸）による筆記感の向上と共に、マット化された基体面上に層（ハードコート層）を設けることにより、筆記感を一層向上させている。（記載事項（４））
　そして、引用例２に記載されているように筆記感を向上させるために表面層をマット化剤粒子を含有しているマット層とすることも周知である。
　また、マット層上の層をマット化することも特開平７−１４９０４０号公報（図１（ａ）、第４頁左欄、段落【００２０】には、記録用紙に筆記性を付与するために基体、基体上のインク受容層、の両者をマット化することが記載されている。）、特開平７−２９０６５２号公報（図１〜図３、第３頁段落【０００８】）に記載されているように周知である。
　そうすると、引用例１発明の基体面上に設けられた層について筆記感を向上させる目的で、上記周知技術を適用して基体面上に設けられた層をマット化剤粒子を含有しているマット層とすることは当業者が容易に想到し得ることである。
　
　そして、本願発明のように構成したことによる効果も引用例１発明及び周知技術から予測できる程度のものである。
　
【４】むすび
　したがって、本願発明は、引用例１発明及び周知技術に基づいて、当業者が容易に発明をすることができたものであるから、特許法第２９条第２項の規定により特許を受けることができない。
　
　よって、結論のとおり審決する。